(57)【要約】【課題】  本発明は魚釣用リールに係り、ドラグノブのツマミ部を改良し、ツマミ部を掴んだ指が滑り難く、力の伝わり易い位置を保持し乍ら、ドラグノブを締める／緩めるといった動作が軽い力で行うことのできる魚釣用リールを提供することを目的とする。【解決手段】  請求項１に係る発明は、堤状のツマミ部を有するドラグ機構のドラグノブを介して、スプールの制動力を調節可能とした魚釣用リールに於て、前記ツマミ部の中心と外周側端部との間の領域に、最も幅狭な部分を有する曲線からなる凹状の指当部を設けたことを特徴とする。  そして、請求項２に係る発明は、請求項１に記載の魚釣用リールに於て、前記指当部は、ツマミ部の中心線を挟んで対称に設けられていることを特徴とする。【選択図】    図３
2011092110.tif 000002
【特許請求の範囲】
【請求項１】
堤状のツマミ部を有するドラグ機構のドラグノブを介して、スプールの制動力を調節可能とした魚釣用リールに於て、
前記ツマミ部の中心と外周側端部との間の領域に、最も幅狭な部分を有する曲線からなる凹状の指当部を設けたことを特徴とする魚釣用リール。
【請求項２】
前記指当部は、ツマミ部の中心線を挟んで対称に設けられていることを特徴とする請求項１に記載の魚釣用リール。
【請求項３】
前記ツマミ部の前部に、突部を設けたことを特徴とする請求項１または請求項２に記載の魚釣用リール。
【請求項４】
前記ツマミ部の少なくとも指当部に、ツマミ部の高さ方向に凹凸を設けたことを特徴とする請求項１乃至請求項３のいずれか１項に記載の魚釣用リール。
【発明の詳細な説明】
【技術分野】
【０００１】
本発明は魚釣用リールに係り、詳しくはスプールの制動力を調節するドラグノブの操作性の向上を図った魚釣用リールに関する。
【背景技術】
【０００２】
従来、例えば魚釣用スピニングリールは、スプール内にドラグ機構を組み込んだ構造（前ドラグ）と、リール本体の後部にドラグ機構を組み込んだ構造（後ドラグ）とが知られているが、スプール内にドラグ機構を組み込んだ構造にあっては、スプールの制動力を調節するドラグノブがスプールの先端に装着されている。
【０００３】
そして、特許文献１または特許文献２に開示されるように、ドラグノブの堤状のツマミ部の形状として、従来、様々な提案がなされている。
【０００４】
図３１は特許文献１に開示されたドラグノブ１を示し、このドラグノブ１は、ツマミ部３の形状を中心部分が最も幅狭に、そして、外周側端部へ行くに従いなだらかな曲線形状を以って順次幅広にすることで、操作時に於ける指先のフィット感を向上させたものである。
【０００５】
また、図３２は特許文献２に開示されたドラグノブ５を示し、このドラグノブ５は、ツマミ部７の中心部分を最も幅広に形成し、そして、外周側へ行くに従いツマミ部７を順次幅狭に形成して外周側端部を最も幅狭とすると共に、ドラグ操作時に把持する部分をゴム等の弾性を有する摩擦係数の高い弾性材９で形成して滑止め部１１を設けたことを特徴としている。
【先行技術文献】
【特許文献】
【０００６】
【特許文献１】特開２００７−６７０５号公報
【特許文献２】実開昭６３−６６４７５号公報
【発明の概要】
【発明が解決しようとする課題】
【０００７】
しかし乍ら、図３１のドラグノブ１は、ツマミ部３の中心領域に最も幅狭な部分があるため、指先で摘んだ場合、指の腹が中心に寄り易く、指が中心に寄ってしまうと力が伝わり難く、軽い力でドラグノブを締める／緩めるといった動作がし難い欠点があった。
【０００８】
一方、図３２のドラグノブ５は、ツマミ部７の外周側端部が最も幅狭となっているため、指先で強く掴むと外周側に指が滑り易く、指が外れてしまう虞がある。
【０００９】
そこで、前記ドラグノブ５は滑止め部１１を設けて滑り止め対策を図っているが、ゴム等の摩擦係数の高い弾性材９で滑止め部１１を形成しているため、餌やゴミ、魚のヌメリ等が付着し易く、それらによってかえって指が滑ってしまう虞がある。
【００１０】
そして、ドラグノブの調整は、魚がかかった状態で魚の引きに応じて行うことが多く、その調整に手間取ると、糸切れや岩陰に潜り込まれたり竿の保持バランスが崩れたりして、魚をバラしてしまう原因となっている。
【００１１】
本発明は斯かる実情に鑑み案出されたもので、ドラグノブのツマミ部を改良し、ツマミ部を掴んだ指が滑り難く、力の伝わり易い位置を保持し乍ら、ドラグノブを締める／緩めるといった動作が軽い力で行うことのできる魚釣用リールを提供することを目的とする。
【課題を解決するための手段】
【００１２】
斯かる目的を達成するため、請求項１に係る発明は、堤状のツマミ部を有するドラグ機構のドラグノブを介して、スプールの制動力を調節可能とした魚釣用リールに於て、前記ツマミ部の中心と外周側端部との間の領域に、最も幅狭な部分を有する曲線からなる凹状の指当部を設けたことを特徴とする。
【００１３】
そして、請求項２に係る発明は、請求項１に記載の魚釣用リールに於て、前記指当部は、ツマミ部の中心線を挟んで対称に設けられていることを特徴とし、請求項３に係る発明は、請求項１または請求項２に記載の魚釣用リールに於て、前記ツマミ部の前部に、突部を設けたことを特徴とする。
【００１４】
更に、請求項４に係る発明は、請求項１乃至請求項３のいずれか１項に記載の魚釣用リールに於て、前記ツマミ部の少なくとも指当部に、ツマミ部の高さ方向に凹凸を設けたことを特徴とする。
【発明の効果】
【００１５】
請求項１に係る発明によれば、指当部を掴むと、その位置に自然と指の腹が落ち着き、指の腹の一部に圧力が集中することもなく、また、従来と異なり、指の腹が中心に寄ってしまったり外周側に指が滑ってしまうことがないため、力を伝達させ易い利点を有する。
【００１６】
また、請求項２に係る発明の如く指当部をツマミ部の中心線を挟んで対称に設けることで、より確実にその位置に自然と指の腹が落ち着く利点を有する。
【００１７】
そして、請求項３に係る発明によれば、指がツマミ部の前部方向に外れ難くなる利点を有し、請求項４に係る発明によれば、横方向への指の滑りをより確実に防止できるため、ツマミ部を掴んでドラグ力の調節が更に容易となり、また、ツマミ部の高さ方向に凹凸を形成しているため、餌やゴミ、魚のヌメリ等が付着しても、簡単に除去することが可能である。
【図面の簡単な説明】
【００１８】
【図１】請求項１及び請求項２の一実施形態に係る魚釣用スピニングリールの側面図である。
【図２】スピニングリールの正面図である。
【図３】ドラグノブの正面図である。
【図４】ドラグノブの底面図である。
【図５】ドラグノブの側面図である。
【図６】図３のVI−VI線断面図である。
【図７】図３のVII−VII線断面図である。
【図８】ドラグノブに突設されたツマミ部の正面図である。
【図９】指当部に指の腹を当ててツマミ部を挟持した状態を示すドラグノブの正面図である。
【図１０】請求項１の一実施形態に係るスピニングリールのスプール先端に装着されるドラグノブの正面図である。
【図１１】ドラグノブの底面図である。
【図１２】ドラグノブの側面図である。
【図１３】図１０のXIII−XIII線断面図である。
【図１４】図１０のXIV−XIV線断面図である。
【図１５】ドラグノブに突設されたツマミ部の正面図である。
【図１６】請求項１乃至請求項３の一実施形態に係るスピニングリールのスプール先端に装着されるドラグノブの正面図である。
【図１７】ドラグノブの底面図である。
【図１８】ドラグノブの側面図である。
【図１９】ドラグノブに突設されたツマミ部の正面図である。
【図２０】図１６のXX−XX線断面図である。
【図２１】図１６のXXI−XXI線断面図である。
【図２２】図１６のXXII−XXII線断面図である。
【図２３】請求項１、請求項２及び請求項４の第一実施形態に係るスピニングリールのスプール先端に装着されるドラグノブの正面図である。
【図２４】ドラグノブの側面図である。
【図２５】図２４のXXV−XXV線断面図である。
【図２６】ツマミ部の要部拡大断面図である。
【図２７】請求項１、請求項２及び請求項４の第二実施形態に係るスピニングリールのスプール先端に装着されるドラグノブのツマミ部の正面図である。
【図２８】ツマミ部の要部拡大断面図である。
【図２９】請求項１、請求項２及び請求項４の第三実施形態に係るスピニングリールのスプール先端に装着されるドラグノブのツマミ部の正面図である。
【図３０】ツマミ部の要部拡大断面図である。
【図３１】従来のドラグノブの正面図である。
【図３２】従来の他のドラグノブの正面図である。
【発明を実施するための形態】
【００１９】
以下、本発明の実施形態を図面に基づいて詳細に説明する。
【００２０】
図１及び図２は請求項１及び請求項２に係る発明を魚釣用スピニングリール（以下、「スピニングリール」という）に適用した一実施形態を示し、図中、２１はリール本体２３内の図示しないフライヤ軸に固定されたロータで、ロータ２１には一対の支持アーム２５が一体形成されている。
【００２１】
そして、一方の支持アーム２５の先端に、ラインローラ２７を支持するベール支持部材２９とラインスライダー３１が釣糸巻取位置側と釣糸放出位置側へ反転自在に取り付き、他方の支持アーム２５にも、ベール支持部材３３が同じく釣糸巻取位置側と釣糸放出位置側へ反転自在に取り付けられており、該ベール支持部材３３とラインスライダー３１との間に半環状のベール３５が装着されている。
【００２２】
更に、図中、３７はロータ２１と同軸上に装着されたスプールで、スプール３７はリール本体２３の前後方向に往復動可能に取り付く図示しないスプール軸に支持されており、図１の如くベール３５を釣糸放出位置から釣糸巻取位置側へ反転させてハンドル３９を巻取り操作すると、これに連動して前後方向へ往復動するスプール３７に釣糸がラインローラ２７を介して巻回されるようになっている。
【００２３】
そして、従来と同様、スプール３７に制動力を付与するドラグ機構がスプール３７内に組み込まれ、図１及び図２に示すように斯かる制動力を調節するドラグノブ４１がスプール３７の先端に装着されているが、本実施形態は、ドラグノブ４１のツマミ部４３を以下の如き形状としたことを特徴とする。
【００２４】
図３乃至図８はドラグノブ４１の詳細を示し、ドラグノブ４１は、正面視円形状のノブ本体４５と、ノブ本体４５の前面（表面）４７に形成されたツマミ部４３とからなり、ツマミ部４３は指の腹で挟持して回転操作可能に堤状に突設された操作部で、図１乃至図８に示すようにツマミ部４３は前面４７の径方向に沿ってスプール３７の前方へ突設され、その両外周側端部４８がＲ状に形成された均一な高さ寸法とされている。
【００２５】
そして、ノブ本体４５の前面４７との境界たるツマミ部４３の基部４９からツマミ部４３の高さ方向に亘る所定域（一例として８ｍｍ程）が、一般的に釣人が指の腹で挟持して回転操作する操作域に相当するが、図８に示すように本実施形態は、少なくとも斯かる操作域に於て、ツマミ部４３の中心と外周側端部４８との間の領域に、連続したＲ形状の曲線からなる４個の凹状の指当部５１をツマミ部の中心線Ｌを挟んで左右対称に設けたもので、指当部５１はツマミ部４３の中で最も幅狭に形成された部分を含み、ツマミ部４３の中心線Ｌに沿って中心から外周側端部４８までの長さを３等分した中心領域に、指当部５１の最も幅狭である部分が形成されている。尚、ツマミ部４３の幅方向は、ツマミ部４３の中心線Ｌに対し直角方向で定義される。
【００２６】
従って、連続したＲ形状の曲線からなる４個の凹状の指当部５１に挟まれたツマミ部４３の中心は、なだらかな凸レンズ状に形成され、また、指当部５１と連続するツマミ部４３の外周側端部４８は、外方へとなだらかに順次幅広となる正面視ラッパ状に形成されている。
【００２７】
本実施形態に係るスピニングリール５３はこのように構成されているから、例えば左手で竿を持ちながら右手でドラグを締める場合、図９の二点鎖線で示すように３箇所の指当部５１に親指（Ｔ）と人差し指（Ｆ）、中指（Ｍ）の腹を掛けて、ツマミ部４３を挟持しながらドラグノブ４１を矢印Ａ方向へ回転操作すればよい。
【００２８】
また、反対にドラグを緩める場合には、親指（Ｔ）を上方の指当部５１へずらし、そして、同様に親指（Ｔ）と人差し指（Ｆ）、中指（Ｍ）の腹を指当部５１に掛けて、ツマミ部４３を挟持しながらドラグノブ４１を矢印Ｂ方向へ回転操作すればよい。
【００２９】
而して、この回転操作に於て、既述したように本実施形態は、
(1)前記指当部５１がツマミ部４３の中心と外周側端部４８との間の最も掴んで操作し易い位置、即ち、ツマミ部４３の中心から外周側端部４８までの長さを３等分した中心領域に配置され、
(2)指当部５１がツマミ部４３の中で最も幅狭に形成され、
(3)指当部５１が連続したＲ形状の曲線で形成されて、４個の凹状の指当部５１に挟まれたツマミ部４３の中心はなだらかな凸レンズ状に形成され、指当部５１と連続するツマミ部４３の外周側端部４８は外方へとなだらかに順次幅広となる正面視ラッパ状とされ、
(4)連続したＲ形状の曲線からなる４個の凹状の指当部５１を、ツマミ部の中心線Ｌを挟んで左右対称に設けているため、
指当部５１を掴むと、その位置に自然と３本の親指（Ｔ）と人差し指（Ｆ）、中指（Ｍ）の腹が落ち着き、指の腹の一部に圧力が集中することもなく、また、図３１及び図３２の従来例と異なり、指の腹が中心に寄ってしまったり外周側に指が滑ってしまうことがないため、力を伝達させ易い利点を有する。
【００３０】
図１０乃至図１５は請求項１の一実施形態に係るスピニングリールのスプール先端に装着されるドラグノブの詳細を示し、本実施形態に係るドラグノブ５５も、正面視円形状のノブ本体５７と、ノブ本体５７の前面５９に形成された堤状のツマミ部６１とからなり、図示するようにツマミ部６１は前面５９の径方向に沿ってスプールの前方へ突設され、その両外周側端部６３がＲ状に形成された均一な高さ寸法とされている。
【００３１】
そして、既述したようにノブ本体５７の前面５９との境界たるツマミ部６１の基部６５からツマミ部６１の高さ方向に亘る所定域（一例として８ｍｍ程）が、釣人が指の腹で挟持して回転操作する操作域に相当するが、図１５に示すように本実施形態は、少なくとも斯かる操作域に於て、ツマミ部６１の中心と外周側端部６３との間の領域に、Ｒ形状の曲線からなる２個の凹状の指当部６７をツマミ部の中心を挟んで点対称の位置に設けたもので、指当部６７はツマミ部６１の中で最も幅狭に形成され、ツマミ部６１の中心から外周側端部６３までの長さを３等分した中心領域に指当部６７が形成されている。
【００３２】
従って、図１５に示すようにＲ形状の曲線からなる２個の凹状の指当部６７を除くその他のツマミ部６１の側面は直線状に形成されている。
【００３３】
本実施形態はこのように構成されているから、例えば左手で竿を持ちながら右手でドラグを締める場合、２個の指当部５１に親指と中指の腹を掛け、人差し指を直線状のツマミ部６１の側面に掛けてツマミ部６１を挟持しながらドラグノブ５５を回転操作すればよい。
【００３４】
而して、この回転操作に於て、既述したように本実施形態は、
(1)指当部６７がツマミ部５５の中心と外周側端部６３との間の最も掴んで操作し易い位置、即ち、ツマミ部５５の中心から外周側端部６３までの長さを３等分した中心領域に配置され、
(2)指当部６７がツマミ部５５の中で最も幅狭に形成され、
(3)指当部６７はＲ形状の曲線で形成されているため、
前記実施形態と同様、指当部６７を掴むと、その位置に自然と指の腹が落ち着き、指の腹の一部に圧力が集中することもなく、また、図３１及び図３２の従来例と異なり、指の腹が中心に寄ってしまったり外周側に指が滑ってしまうことがないため、力を伝達させ易い利点を有する。
【００３５】
図１６乃至図２２は請求項１乃至請求項３の一実施形態に係るスピニングリールのスプール先端に装着されるドラグノブの詳細を示し、本実施形態に係るドラグノブ６９は、図３乃至図９のドラグノブ４１の構成に加え、図１７、図２０及び図２１に示すようにツマミ部４３-1の左右の側面４３-1ａ、４３-1ｂを凹状のＲ形状の曲線で形成することで、ツマミ部４３-1の前部先端に、両側面４３-1ａ、４３-1ｂに突設する幅広な突部７１を設けたものである。
【００３６】
而して、本実施形態によれば、前記ドラグノブ４１のツマミ部４３の作用効果に加え、指がツマミ部４３-1の前部方向に外れ難くなる利点を有する。
【００３７】
図２３乃至図３０は請求項１、請求項２及び請求項４に係るスピニングリールのスプール先端に装着されるドラグノブの第一乃至第三実施形態を示し、先ず、図２３乃至図２６の第一実施形態に係るドラグノブ７３は、図３乃至図９のドラグノブ４１の構成に加え、図示するようにツマミ部４３-2に形成した指当部５１に、ツマミ部４３-2の高さ方向に亘って複数の凹状の溝７５を設けることで、該指当部５１を凹凸状に形成したことを特徴とする。
【００３８】
そして、図２７及び図２８の第二実施形態に係るドラグノブは、図３乃至図９のドラグノブ４１の構成に加え、ツマミ部４３-3に形成した指当部５１に、ツマミ部４３-2の高さ方向に亘って複数の凸状の突条７７を設けることで、該指当部５１を凹凸状に形成したことを特徴とする。
【００３９】
また、図２９及び図３０の第三実施形態に係るドラグノブは、図３乃至図９のドラグノブ４１の構成に加え、ツマミ部４３-4に形成した指当部５１に、ツマミ部４３-4の高さ方向に亘って鋸刃状の突条７９を設けることで、該指当部５１を凹凸状に形成したものである。
【００４０】
而して、これらの各実施形態によれば、図３乃至図９のドラグノブ４１の作用効果に加え、横方向への指の滑りをより確実に防止できるため、ツマミ部４３-2、４３-3、４３-4を掴んでドラグ力の調節が更に容易となる利点を有する。
【００４１】
また、摩擦係数の高い弾性材９で滑止め部１１を形成した図３２の従来例に比し、餌やゴミ、魚のヌメリ等がツマミ部４３-2、４３-3、４３-4に付着しても、夫々の高さ方向に溝７５等を形成しているため、簡単に除去することが可能である。
【００４２】
尚、前記溝７５等は、指当部５１のみでなくツマミ部４３-2等の側面全体に設けてもよい。
【００４３】
また、既述した各実施形態は、請求項１乃至請求項４に係る発明をスピニングリールのドラグノブに適用したものであるが、その他、例えば増速タイプの片軸リールに装着するドラグ機構のドラグノブにも適用可能である。
【符号の説明】
【００４４】
２１  ロータ
２３  リール本体
２５  支持アーム
２７  ラインローラ
２９、３３  ベール支持部材
３１  ラインスライダー
３５  ベール
３７  スプール
３９  ハンドル
４１、５５、６９、７３  ドラグノブ
４３、４３-1、４３-2、４３-3、４３-4、６１  ツマミ部
４５、５７  ノブ本体
４８、６３  外周側端部
４９、６５  基部
５１、６７  指当部
５３  スピニングリール
７１  突部
７５  溝
７７、７９  突条
【図１】
2011092110.tif 000003
【図２】
2011092110.tif 000004
【図３】
2011092110.tif 000005
【図４】
2011092110.tif 000006
【図５】
2011092110.tif 000007
【図６】
2011092110.tif 000008
【図７】
2011092110.tif 000009
【図８】
2011092110.tif 000010
【図９】
2011092110.tif 000011
【図１０】
2011092110.tif 000012
【図１１】
2011092110.tif 000013
【図１２】
2011092110.tif 000014
【図１３】
2011092110.tif 000015
【図１４】
2011092110.tif 000016
【図１５】
2011092110.tif 000017
【図１６】
2011092110.tif 000018
【図１７】
2011092110.tif 000019
【図１８】
2011092110.tif 000020
【図１９】
2011092110.tif 000021
【図２０】
2011092110.tif 000022
【図２１】
2011092110.tif 000023
【図２２】
2011092110.tif 000024
【図２３】
2011092110.tif 000025
【図２４】
2011092110.tif 000026
【図２５】
2011092110.tif 000027
【図２６】
2011092110.tif 000028
【図２７】
2011092110.tif 000029
【図２８】
2011092110.tif 000030
【図２９】
2011092110.tif 000031
【図３０】
2011092110.tif 000032
【図３１】
2011092110.tif 000033
【図３２】
2011092110.tif 000034